(57)【要約】【課題】水／冷媒熱交換器の水流路側へのスケール付着による熱交換性能の低下を、より簡便にかつ精度よく判定することができるヒートポンプシステムを提供することを目的とする。【解決手段】水／冷媒熱交換器５を備え、その出湯温度が目標温度となるように、水ポンプ１２により水量を制御するタイプのヒートポンプシステム１において、水／冷媒熱交換器５のスケール付着による性能低下を、該水／冷媒熱交換器５の冷媒出口温度と水入口温度との温度差と、出湯温度とに基づいて判定する性能低下判定部２３を備えている。【選択図】図１
2014052143.tif 000002
【特許請求の範囲】
【請求項１】
水／冷媒熱交換器を備え、その出湯温度が目標温度となるように、水ポンプにより水量を制御するタイプのヒートポンプシステムにおいて、
前記水／冷媒熱交換器のスケール付着による性能低下を、該水／冷媒熱交換器の冷媒出口温度と水入口温度との温度差と、出湯温度とに基づいて判定する性能低下判定部を備えていることを特徴とするヒートポンプシステム。
【請求項２】
前記性能低下判定部は、前記水／冷媒熱交換器の能力比率が制限範囲を超えたとき、メンテナンスアラームを出力する警報部を備えていることを特徴とする請求項１に記載のヒートポンプシステム。
【請求項３】
前記性能低下判定部は、前記出湯温度毎に、前記出湯温度と、前記水／冷媒熱交換器の性能低下時の前記「冷媒出口温度−水入口温度」との関係から性能低下下限のクライテリアを決定するテーブルを内蔵していることを特徴とする請求項１または２に記載のヒートポンプシステム。
【請求項４】
前記ヒートポンプシステムが、ＣＯ２冷媒を用いた給湯機用のヒートポンプシステムであることを特徴とする請求項１ないし３のいずれかに記載のヒートポンプシステム。
【発明の詳細な説明】
【技術分野】
【０００１】
本発明は、水／冷媒熱交換器を備え、出湯温度が目標温度となるように、水ポンプの回転数により水量を制御するタイプのヒートポンプシステムに関するものである。
【背景技術】
【０００２】
水／冷媒熱交換器を備え、お湯を出湯する給湯機やチラー等に適用されるヒートポンプシステムでは、水質により水／冷媒熱交換器の水流路側にスケールが付着し、熱交換性能が低下することがあり、これによって、システムの能力不足や消費電力のアップ、あるいは保護制御による運転停止等の問題が生ずるケースがある。特に、出湯温度がリモコン等により設定された目標温度となるように、水ポンプの回転数により水量を制御するタイプのシステムにおいては、熱交換性能が低下しても、出湯温度が確保されることから、スケールの付着による性能低下が見分け難いという問題があった。
【０００３】
かかる問題に対処するため、高価な流量計を用いることなく、スケールの付着を判定できるようにしたものとして、例えば、特許文献１に示されるように、水／冷媒熱交換器の冷媒入口温度、冷媒出口温度、水入口温度、水出口温度等を検出し、冷媒の入口温度から冷媒の出口温度を減じた値を、冷媒の入口温度から水の入口温度を減じた値で除した熱交換器高温側温度効率を算出することにより、その温度効率が予め設定された値以下に低下した場合、水／冷媒熱交換器にスケールが付着しており、水／冷媒熱交換器が異常であると判定するようにしたものが提案されている。
【先行技術文献】
【特許文献】
【０００４】
【特許文献１】特開２０１０−９１１８１号公報
【発明の概要】
【発明が解決しようとする課題】
【０００５】
しかしながら、上記特許文献１のものでは、水／冷媒熱交換器の冷媒入口温度、冷媒出口温度および水入口温度の少なくとも３箇所の温度を検出する必要があり、しかもそれらの温度センサからの検出値に基づいて、冷媒入口温度と冷媒出口温度との減算値、冷媒入口温度と水入口温度との減算値、並びに両減算値の除算値を算出しなければならず、水／冷媒熱交換器の水流路側へのスケールの付着による熱交換性能低下を、より少ない温度センサからの検出値に基づいて、簡便にかつ精度よく判定することができるヒートポンプシステムが求められていた。
【０００６】
本発明は、このような事情に鑑みてなされたものであって、出湯温度をパラメータとしたとき、スケール付着による能力の低下に伴い、水／冷媒熱交換器の冷媒出口温度と水入口温度との温度差が大きくなることを見出し、その点に着目して水／冷媒熱交換器の水流路側へのスケール付着による熱交換性能の低下を、より簡便にかつ精度よく判定することができるヒートポンプシステムを提供することを目的とする。
【課題を解決するための手段】
【０００７】
上記した課題を解決するために、本発明のヒートポンプシステムは、以下の手段を採用している。
すなわち、本発明にかかるヒートポンプシステムは、水／冷媒熱交換器を備え、その出湯温度が目標温度となるように、水ポンプにより水量を制御するタイプのヒートポンプシステムにおいて、前記水／冷媒熱交換器のスケール付着による性能低下を、該水／冷媒熱交換器の冷媒出口温度と水入口温度との温度差と、出湯温度とに基づいて判定する性能低下判定部を備えていることを特徴とする。
【０００８】
本発明によれば、水／冷媒熱交換器のスケール付着による性能低下を、該水／冷媒熱交換器の冷媒出口温度と水入口温度との温度差と、出湯温度とに基づいて判定する性能低下判定部を備えているため、水／冷媒熱交換器の水流路側にスケールが付着し、その熱交換性能が低下すると、性能低下判定部により水／冷媒熱交換器の冷媒出口温度と水入口温度との温度差、すなわち水／冷媒熱交換器の「冷媒出口温度−水入口温度」を求め、その値と予め設定されている出湯温度とに基づいて、水／冷媒熱交換器の性能低下が制限値を超えているか否かを判定することができる。特に、出湯温度が目標温度となるように、水量を制御しているシステムでは、水／冷媒熱交換器が性能低下しても、出湯温度が確保されることから、熱交換器の性能低下を判定し難いが、本発明によると、水／冷媒熱交換器の冷媒出口温度と水入口温度とを検出し、その温度差を求めることにより、該温度差と出湯温度とに基づいて、水／冷媒熱交換器の性能低下を判定することができる。従って、水／冷媒熱交換器の冷媒出口温度と水入口温度との２箇所の温度検出のみで、複雑な対数平均温度差や算術平均温度差等を用いることなく、簡便にかつ精度よく水／冷媒熱交換器のスケール付着による性能低下の有無を判定することができる。
【０００９】
さらに、本発明のヒートポンプシステムは、上記のヒートポンプシステムにおいて、前記性能低下判定部は、前記水／冷媒熱交換器の能力比率が制限範囲を超えたとき、メンテナンスアラームを出力する警報部を備えていることを特徴とする。
【００１０】
本発明によれば、性能低下判定部が、水／冷媒熱交換器の能力比率が制限範囲を超えたとき、メンテナンスアラームを出力する警報部を備えているため、ユーザーは、水／冷媒熱交換器にスケールが付着し、その能力が低下していることを警報部からのメンテナンスアラームの出力によって認識することができる。従って、水／冷媒熱交換器のメンテナンス時期を適宜適切に判断し、その洗浄・交換等を行うことにより、能力不足や消費電力のアップ、保護制御による運転停止等を避けてヒートポンプシステムを安定して運転することができる。
【００１１】
さらに、本発明のヒートポンプシステムは、上述のいずれかのヒートポンプシステムにおいて、前記性能低下判定部は、前記出湯温度毎に、前記出湯温度と、前記水／冷媒熱交換器の性能低下時の前記「冷媒出口温度−水入口温度」との関係から性能低下下限のクライテリアを決定するテーブルを内蔵していることを特徴とする。
【００１２】
本発明によれば、性能低下判定部が、出湯温度毎に、出湯温度と、水／冷媒熱交換器の性能低下時の「冷媒出口温度−水入口温度」との関係から性能低下下限のクライテリアを決定するテーブルを内蔵しているため、このテーブルにより決定されるクライテリアに従って、水／冷媒熱交換器の水流路側へのスケール付着による性能低下を、運転時に検出される水／冷媒熱交換器の冷媒出口温度と水入口温度との温度差と、出湯温度とに基づいて簡便に判定することができる。これによって、水／冷媒熱交換器の性能低下を簡便にかつ精度よく判定できる性能低下判定部を備えたヒートポンプシステムを低コストで提供することができる。
【００１３】
さらに、本発明のヒートポンプシステムは、上述のいずれかのヒートポンプシステムにおいて、前記ヒートポンプシステムが、ＣＯ２冷媒を用いた給湯機用のヒートポンプシステムであることを特徴とする。
【００１４】
本発明によれば、ヒートポンプシステムが、ＣＯ２冷媒を用いた給湯機用のヒートポンプシステムとされているため、ＣＯ２冷媒を用いた給湯機用のヒートポンプシステムにあって、ガスクーラとして機能する水／冷媒熱交換器の水流路側にスケールが付着したことによる性能の低下を適宜適切に判断し、メンテナンスすることができる。従って、給湯機用のヒートポンプシステムを、その能力、性能を維持しながら、安定的に運転することができる。
【発明の効果】
【００１５】
本発明によると、水／冷媒熱交換器の水流路側にスケールが付着し、その熱交換性能が低下すると、性能低下判定部により水／冷媒熱交換器の冷媒出口温度と水入口温度との温度差、すなわち水／冷媒熱交換器の「冷媒出口温度−水入口温度」を求め、その値と予め設定されている出湯温度とに基づいて、水／冷媒熱交換器の性能低下が制限値を超えているか否かを判定することができる。特に、出湯温度が目標温度となるように、水量を制御しているシステムでは、水／冷媒熱交換器が性能低下しても、出湯温度が確保されることから、熱交換器の性能低下を判定し難いが、本発明によると、水／冷媒熱交換器の冷媒出口温度と水入口温度とを検出し、その温度差を求めることにより、該温度差と出湯温度とに基づいて、水／冷媒熱交換器の性能低下を判定することができるため、水／冷媒熱交換器の冷媒出口温度と水入口温度との２箇所の温度検出のみで、複雑な対数平均温度差や算術平均温度差等を用いることなく、簡便にかつ精度よく水／冷媒熱交換器のスケール付着による性能低下の有無を判定することができる。
【図面の簡単な説明】
【００１６】
【図１】本発明の一実施形態に係るヒートポンプシステムの構成図である。
【図２】ヒートポンプシステムの性能低下判定部による水／冷媒熱交換器の性能低下の判定フロー図である。
【図３】水／冷媒熱交換器の冷媒と水との熱交換状態を示す模式図である。
【図４】ＣＯ２冷媒を用いたヒートポンプシステムのＰ−ｈ線図上に水との熱交換状態を示した説明図である。
【図５】出湯温度と、「冷媒出口温度−水入口温度」との関係からスケール付着時の性能低下を判定（能力比率８５％を基準とした場合）するテーブルの一例である。
【図６】能力比率が８５％の場合における出湯温度および「冷媒出口温度−水入口温度」の温度差（判定基準）を示す図表である。
【図７】出湯温度８０℃の場合の能力比率と、「冷媒出口温度−水入口温度」との関係および対数平均温度差との関係を示すグラフ（Ａ）および（Ｂ）である。
【発明を実施するための形態】
【００１７】
以下に、本発明の一実施形態について、図１ないし図７を参照して説明する。
図１には、本発明の一実施形態に係るヒートポンプシステムの構成図が示されている。
本実施形態のヒートポンプシステム１は、給湯機用に適用されたものであり、ＣＯ２冷媒を用いている超臨界サイクルのヒートポンプ２と、該ヒートポンプ２で製造された温水を貯える貯湯タンク１０が設けられた貯湯タンクユニット３とを備えている。
【００１８】
ヒートポンプ２は、冷媒を圧縮する圧縮機４と、ガスクーラとして機能し、冷媒と水とを熱交換させる水／冷媒熱交換器（ガスクーラ）５と、冷媒を減圧する電子膨張弁等からなる減圧手段６と、外気との熱交換により冷媒を蒸発させる蒸発器７とが、順次冷媒配管８により接続されて構成された閉サイクルの冷媒循環回路９を備えている。このヒートポンプ２は、作動媒体としてＣＯ２冷媒が充填された超臨界サイクルのヒートポンプとされており、それ自体、公知のものであってよい。
【００１９】
貯湯タンクユニット３は、ヒートポンプ２側で製造された温水を貯える所要容量の貯湯タンク１０と、この貯湯タンク１０を介してヒートポンプ２の水／冷媒熱交換器５に対して水が循環可能とされている水循環回路１１と、該水循環回路１１中に設けられている水ポンプ１２と、水循環回路１１内に空気が混入されていた場合、その空気を水ポンプ１２の運転により外部に排出する機能を担うエアベント１３と、水循環回路１１の給水側配管１１Ａと出湯側配管１１Ｂとの間に設けられたバイパス回路１４と、バイパス回路１４からの水と貯湯タンク１０からの給湯水とを混合して所定温度の温水となし、負荷側に供給する感温式のミキシング弁１５等とを備えている。
【００２０】
ヒートポンプ２の水／冷媒熱交換器（ガスクーラ）５は、冷媒配管８が接続される冷媒流路５Ａ側を流れる冷媒と、水循環回路１１が接続される水流路５Ｂ側を流れる水とを互いに熱交換する熱交換器であり、冷媒からの放熱により水を加熱し、温水を製造する機能を担っているものである。この水／冷媒熱交換器５は、冷媒流路５Ａ側を流れる冷媒の流れ方向と、水流路５Ｂ側を流れる水の流れ方向とが対向流となる構成とされている。図３には、それを模式化した図が示され、図示の如く、冷媒は図の右側から左側へ、水は図の左側から右側へと流通されるようになっている。
【００２１】
このヒートポンプシステム１では、水／冷媒熱交換器５から出湯される温水の温度（以下「出湯温度」という。）が、ユーザーがリモコン等で設定した温度（目標温度）となるように、水ポンプ１２の回転数を制御して水量を制御する方式が採られている。一方、上記水／冷媒熱交換器（ガスクーラ）５の水流路５Ｂ側には、一般に市水（水道水）が流通されるが、長期に亘る運転により、水質によっては水流路５Ｂ側にスケールが付着し、熱交換性能が低下して初期の能力が得られなくなるおそれがある。そこで、本実施形態においては、水／冷媒熱交換器５の水流路５Ｂ側へのスケール付着による熱交換性能（能力）の低下を判定するため、以下の構成を採用している。
【００２２】
水／冷媒熱交換器５の冷媒出口側に冷媒出口温度を検出する温度センサ２０を設けるとともに、水入口側に水入口温度を検出する温度センサ２１を設けている。そして、この温度センサ２０，２１の検出値から水／冷媒熱交換器５の冷媒出口温度と水入口温度との温度差、すなわち「冷媒出口温度−水入口温度」を求め、その温度差と、ユーザーがリモコン等の設定手段２２を介して設定する出湯温度（水／冷媒熱交換器５から出湯される温水の温度）とに基づいて、水／冷媒熱交換器５のスケール付着による熱交換性能（能力）の低下を判定する性能低下判定部２３を設けている。
【００２３】
また、性能低下判定部２３は、水／冷媒熱交換器５の能力比率（初期能力に対する能力の低下割合）が制限値を下回ったと判定したとき、それをユーザーに認識させ、水／冷媒熱交換器５を洗浄あるいは交換する等のメンテナンスを促すメンテナンスアラームを出力する警報部２４を備えている。
以下に、水／冷媒熱交換器５の「冷媒出口温度−水入口温度」（温度差）と、出湯温度とに基づいて、水／冷媒熱交換器５のスケール付着による性能（能力）の低下を判定できる理由を詳しく説明する。
【００２４】
図４は、ＣＯ２冷媒を用いたヒートポンプ２のＰ−ｈ線図上に水との熱交換状態を示した説明図である。図３に示す如く、水／冷媒熱交換器（ガスクーラ）５で冷媒と水とが熱交換されたとき、冷媒は、図４中において、圧縮機４から吐出された状態（黒点）を基点として水との熱交換により放熱して右から左へと温度変化する。一方、この冷媒と熱交換する水は、水／冷媒熱交換器５への入口温度（例えば、２０℃（黒点））を基点として温度上昇し、左から右へと温度変化する。この際、水／冷媒熱交換器５にスケールが付着していると、十分放熱されなくなることから、冷媒出口温度が上昇（破線位置方向）し、冷媒出口温度と水入口温度との温度差「冷媒出口温度−水入口温度」が大きくなる。
【００２５】
この温度差「冷媒出口温度−水入口温度」と、水／冷媒熱交換器５の能力比率との関係を見ると、図７（Ａ）に示されるように、外気温や水入口温度（入水温度）の変化に関係なく、略一定の近似直線で表されることが解った。なお、この図７（Ａ）は、出湯温度を８０℃とした場合のものであり、出湯温度毎に同様の近似直線を得ることができる。
因みに、図７（Ｂ）は、水／冷媒熱交換器５の冷媒入口温度、冷媒出口温度、水入口温度および出湯温度を検出し、それらから求めた対数平均温度差（＝（ΔΘ１−ΔΘ２）／Ｉｎ（ΔΘ１／ΔΘ２）、但し、ΔΘ１＝（冷媒入口温度−出湯温度）、ΔΘ２＝（冷媒出口温度−水入口温度）と、水／冷媒熱交換器５の能力比率との関係を示したもので、略同じ傾向となることが確認されている。
【００２６】
上記の温度差「冷媒出口温度−水入口温度」と、能力比率との関係を、出湯温度をパラメータとして整理したものが、図５に示される性能低下の制限範囲を決定する出湯温度毎のクライテリアのテーブルである。図５には、能力比率が８５％の場合と、７０％の場合の近似直線が示されている。また、図６の図表には、能力比率８５％をクライテリアとした場合における出湯温度および「冷媒出口温度−水入口温度」の温度差（判定基準）が示されている。
【００２７】
この図５、図６によると、能力比率８５％をスケール付着と判定するクライテリアとした場合、出湯温度が６５℃のときは、上記の温度差がＴ１でスケール付着による熱交換性能（能力）の低下が初期能力の８５％に低下していることを示し、出湯温度が７５℃のときは、温度差がＴ３で能力比率が８５％に低下していることを示し、出湯温度が９０℃のときは、温度差がＴ６で能力比率が８５％に低下していることを示すことになる。
【００２８】
性能低下判定部２３は、図５に示された性能低下の制限範囲を決定する出湯温度毎のクライテリアのテーブルを内蔵しており、図２に示される判定フローに従って、スケールの付着を判定する構成とされている。ヒートポンプシステム１の運転時、ユーザーは、リモコン等の設定手段２２で「出湯温度」を設定する（ステップＳ１）。ヒートポンプシステム１は、この出湯温度を目標温度として一定の能力で水ポンプ１２の回転数を制御し、水／冷媒熱交換器（ガスクーラ）５からの出湯温度が目標温度となるように水量を制御して運転される。
【００２９】
ステップＳ１で出湯温度が設定されると、ステップＳ２に移行し、その出湯温度と、水／冷媒熱交換器５の「冷媒出口温度−水入口温度」とか関係から性能低下下限のクライテリアが決定され、ステップＳ３に移行される。ステップＳ３では、運転データとして水／冷媒熱交換器（ガスクーラ）５の冷媒出口温度と、水入口温度とが温度センサ２０，２１の検出値として読み込まれる。そして、この検出値から上記温度差が算出され、その値がステップＳ２で決定されたクライテリアの制限範囲内か否かがステップＳ４において判定される。
【００３０】
ステップＳ４で、クライテリアの制限範囲内（ＹＥＳ）と判定されると、ステップＳ１に戻り、以下同様の動作を繰り返す。一方、クライテリアの制限範囲を超えており、ＮＯと判定されると、ステップＳ５に移行して、ユーザーに対して水／冷媒熱交換器（ガスクーラ）５の水流路５Ｂに制限量以上のスケールが付着し、熱交換性能（能力）が制限値を超えて低下していることを認識させるメンテナンスアラームを出すよう警報部２４に出力する構成とされている。ユーザーは、このアラームを受けて適宜適切な時期に、水／冷媒熱交換器（ガスクーラ）５を洗浄あるいは交換し、その性能を回復することにより、再びヒートポンプシステム１を安定して運転することができるようになる。
【００３１】
斯くして、本実施形態によれば、以下の作用効果を得ることができる。
上記ヒートポンプシステム１において、ＣＯ２冷媒を用いた超臨界サイクルのヒートポンプ２が運転されると、圧縮機４で圧縮された高温高圧の冷媒ガスは、冷媒循環回路９を介して水／冷媒熱交換器５に導入される。ここで冷媒流路５Ａ側を流れる冷媒と、水循環回路１１を介して水流路５Ｂ側に循環される水とが熱交換されることにより、水は高温高圧の冷媒ガス側からの放熱によって加熱、昇温され、リモコン等の設定手段２２で設定された温度の温水（お湯）が製造される。
【００３２】
このお湯は、水循環回路１１を介して貯湯タンク１０に出湯され、貯湯タンク１０内に貯えられる。一方、水／冷媒熱交換器５で放熱して冷却された冷媒は、減圧手段６で減圧された後、気液二相の低圧低温冷媒とされて蒸発器７に導入され、ここでファン等により送風される外気と熱交換されて蒸発された後、圧縮機４に吸い込まれることにより、再圧縮される。以下、同様の動作を繰り返すことによって、温水の製造に供される。
【００３３】
貯湯タンク１０に貯湯されたお湯は、必要時に貯湯タンク１０から出湯側配管１１Ｂを介して負荷側に出湯されることより消費される。この際、給水側配管１１Ａからバイパス回路１４を介してミキシング弁１５に供給される２０℃前後の水と、貯湯タンク１０内に貯湯されていた９０℃程度の高温のお湯とがミキシング弁１５で混合され、例えば６０℃程度の温水に調整されて負荷側に供給されることになる。
【００３４】
上記の温水製造過程において、水／冷媒熱交換器５の水流路５Ｂ側に対して水が循環されるが、水質によっては水流路５Ｂ側にスケールが付着し、そのスケールが堆積することによって熱交換が阻害され、熱交換性能（能力）の低下を来し、その結果、システムの能力不足や消費電力のアップ、あるいは保護制御による運転停止等を招くことになる。
【００３５】
しかるに、本実施形態では、水／冷媒熱交換器（ガスクーラ）５に対するスケールの付着による性能低下を、水／冷媒熱交換器５の冷媒出口温度と水入口温度との温度差（冷媒出口温度−水入口温度）と、出湯温度とに基づいて判定する性能低下判定部２３を備えているため、水／冷媒熱交換器５の水流路５Ｂ側にスケールが付着し、その熱交換性能が低下すると、性能低下判定部２３を介して水／冷媒熱交換器５の冷媒出口温度と水入口温度との温度差、すなわち水／冷媒熱交換器５の「冷媒出口温度−水入口温度」を求め、その値と予め設定されている出湯温度とに基づいて、水／冷媒熱交換器５の性能低下が制限値を超えているか否かを判定することができる。
【００３６】
特に、出湯温度が目標温度となるように、水量を制御しているヒートポンプシステム１では、水／冷媒熱交換器５が性能低下しても、出湯温度が確保されることから、水／冷媒熱交換器５の性能低下を判定し難いが、本発明では、水／冷媒熱交換器５の冷媒出口温度と水入口温度とを検出し、その温度差を求めることによって、その温度差と出湯温度とに基づいて、水／冷媒熱交換器５の性能低下を判定することができる。従って、水／冷媒熱交換器５の冷媒出口温度と水入口温度との２箇所の温度検出のみで、複雑な対数平均温度差や算術平均温度差等を用いることなく、簡便にかつ精度よく水／冷媒熱交換器５のスケール付着による性能低下の有無を判定することができる。
【００３７】
また、性能低下判定部２３は、水／冷媒熱交換器（ガスクーラ）５の能力比率が制限範囲を超えたとき、メンテナンスアラームを出力する警報部２４を備えているため、ユーザーは、水／冷媒熱交換器５にスケールが付着し、その能力が制限値を超えて低下していることを警報部２４からのメンテナンスアラームの出力により認識することができる。これによって、水／冷媒熱交換器５のメンテナンス時期を適宜適切に判断し、その洗浄・交換等を行うことにより、能力不足や消費電力のアップ、保護制御による運転停止等を避けてヒートポンプシステム１を安定して運転することが可能となる。
【００３８】
さらに、性能低下判定部２３は、出湯温度毎に、出湯温度と、水／冷媒熱交換器５の性能低下時の「冷媒出口温度−水入口温度」との関係から性能低下下限のクライテリアを決定するテーブルを内蔵している。このため、このテーブルにより決定されるクライテリアに従って、水／冷媒熱交換器５の水流路５Ｂ側へのスケール付着による性能低下を、運転時に検出される水／冷媒熱交換器５の冷媒出口温度と水入口温度との温度差と、出湯温度とに基づいて簡便に判定することができる。従って、水／冷媒熱交換器５の性能低下を簡便にかつ精度よく判定できる性能低下判定部２３を備えたヒートポンプシステム１を低コストで提供することができる。
【００３９】
また、本実施形態のヒートポンプシステム１は、ＣＯ２冷媒を用いた給湯機用のヒートポンプシステム１とされている。このため、ＣＯ２冷媒を用いた給湯機用のヒートポンプシステム１にあって、ガスクーラとして機能する水／冷媒熱交換器５の水流路５Ｂ側にスケールが付着したことによる性能の低下を適宜適切に判断し、メンテナンスすることができる。これによって、給湯機用のヒートポンプシステム１を、その能力、性能を維持しながら、安定的に運転することができる。
【００４０】
なお、本発明は、上記実施形態にかかる発明に限定されるものではなく、その要旨を逸脱しない範囲において、適宜変形が可能である。例えば、上記実施形態では、給湯機用のヒートポンプシステム１について説明したが、ヒートポンプチラーに対しても同様に適用できることは云うまでもない。また、ＣＯ２冷媒を用いた場合、上記圧縮機４を２段圧縮機とすることが望ましく、これにより更なる高能力化を期待することができる。
【符号の説明】
【００４１】
１  ヒートポンプシステム
２  ヒートポンプ
３  貯湯タンクユニット
４  圧縮機
５  水／冷媒熱交換器（ガスクーラ）
５Ａ  冷媒流路
５Ｂ  水流路
６  減圧手段
７  蒸発器
１０  貯湯タンク
１１  水循環回路
１２  水ポンプ
２０，２１  温度センサ
２２  出湯温度の設定手段
２３  性能低下判定部
２４  警報部
【図１】
2014052143.tif 000003
【図２】
2014052143.tif 000004
【図３】
2014052143.tif 000005
【図４】
2014052143.tif 000006
【図５】
2014052143.tif 000007
【図６】
2014052143.tif 000008
【図７】
2014052143.tif 000009